(57)【要約】【課題】ユーザの利便性を保ちつつリモート接続における不正アクセスを抑制できるルータ、ルータの制御方法、及びルータの制御プログラムを提供すること。【解決手段】本開示に係るルータ１は、制御部１０と、第１のコンピュータ１１１と接続可能な第１インターフェイス１１と、外部のネットワーク１２０を介して第２のコンピュータ１２１と接続可能な第２インターフェイス１２と、第１の電話機１３１と接続可能な第３インターフェイス１３と、を備える。制御部１０は、所定条件を満たした場合に、第１のコンピュータ１１１と第２のコンピュータ１２１との間のリモート接続を所定時間だけ許可し、リモート接続を許可してから所定時間が経過するまでの間に第１の電話機１３１が所定の電話番号から電話着信を受けたと判断した場合は、所定時間を延長する。【選択図】図１
2020123772.tif 000002
【特許請求の範囲】
【請求項１】
制御部と、
第１のコンピュータと接続可能な第１インターフェイスと、
外部のネットワークを介して第２のコンピュータと接続可能な第２インターフェイスと、
第１の電話機と接続可能な第３インターフェイスと、を備え、
前記制御部は、
所定条件を満たした場合に、前記第１インターフェイスに接続された前記第１のコンピュータと前記第２インターフェイスに接続された前記第２のコンピュータとの間のリモート接続を所定時間だけ許可し、
前記リモート接続を許可してから前記所定時間が経過するまでの間に前記第３インターフェイスに接続された前記第１の電話機が所定の電話番号から電話着信を受けたと判断した場合は、前記所定時間を延長する、
ルータ。
【請求項２】
前記制御部は、
前記第３インターフェイスに接続された前記第１の電話機が前記所定の電話番号から電話着信を受けた場合は、前記所定条件を満たしたと判断する、
請求項１に記載のルータ。
【請求項３】
ＶｏＩＰアダプタをさらに備え、
前記制御部は、前記ＶｏＩＰアダプタが取得した情報に基づいて着信先の電話番号を取得する、
請求項１または２に記載のルータ。
【請求項４】
第２の電話機と接続可能な第４インターフェイスをさらに備え、
前記制御部は、前記リモート接続を許可してから前記所定時間が経過するまでの間に、前記第４インターフェイスに接続された前記第２の電話機が前記所定の電話番号から電話着信を受けたと判断した場合は、前記リモート接続を切断する、
請求項１〜３のいずれか１項に記載のルータ。
【請求項５】
前記制御部は、前記第１のコンピュータと前記外部のネットワークとの間の接続のオン／オフを切り替えることによって、前記リモート接続のオン／オフを切り替える、
請求項１〜４のいずれか１項に記載のルータ。
【請求項６】
前記制御部は、前記リモート接続を許可してから前記所定時間が経過する前の時点で、前記第１の電話機が前記所定の電話番号から電話着信をまだ受けていないと判断した場合は、前記第２のコンピュータに対してアラームを通知する、
請求項１〜５のいずれか１項に記載のルータ。
【請求項７】
所定条件を満たした場合に、第１インターフェイスに接続された第１のコンピュータと、外部のネットワークを介して第２インターフェイスに接続された第２のコンピュータと、の間のリモート接続を所定時間だけ許可するステップと、
前記リモート接続を許可してから前記所定時間が経過するまでの間に第３インターフェイスに接続された電話機が所定の電話番号から電話着信を受けたと判断した場合に、前記所定時間を延長するステップと、を備える、
ルータの制御方法。
【請求項８】
所定条件を満たした場合に、第１インターフェイスに接続された第１のコンピュータと、外部のネットワークを介して第２インターフェイスに接続された第２のコンピュータと、の間のリモート接続を所定時間だけ許可するステップと、
前記リモート接続を許可してから前記所定時間が経過するまでの間に第３インターフェイスに接続された電話機が所定の電話番号から電話着信を受けたと判断した場合に、前記所定時間を延長するステップと、をコンピュータに実行させる、
ルータの制御プログラム。
【発明の詳細な説明】
【技術分野】
【０００１】
本開示はルータ、ルータの制御方法、及びルータの制御プログラムに関する。
【背景技術】
【０００２】
リモート接続における不正アクセスを防止するためのセキュリティ技術が知られている。例えば特許文献１には、社外の社員が携帯電話等を介して接続要求を行った際に、接続を要求するリモートアクセス端末が未登録である場合は接続を拒否するルータが開示されている。特許文献２には、通信要求を行う装置のＩＰアドレスと、ＤＤＮＳ（Dynamic Domain Name System）サーバ上に当該ＩＰアドレスと対応づけて登録された装置の登録名と、に基づいて、通信の可否を決定する端末装置が開示されている。特許文献３には、遠隔操作端末から送信されたＨＴＴＰパケットにおいて指定された通信端末を、電源を投入する対象となる通信端末と決定する中継装置が開示されている。
【先行技術文献】
【特許文献】
【０００３】
【特許文献１】特開２００２−１８５６２６号公報
【特許文献２】特開２０１６−１００６１５号公報
【特許文献３】特開２０１７−０９７５４６号公報
【発明の概要】
【発明が解決しようとする課題】
【０００４】
近年、セキュリティ技術の向上に伴い、不正アクセスの手口も巧妙化している。このため、上述した技術よりも更に安全性の高いセキュリティ技術の確立が求められている。一方で、安全性を高めるためにセキュリティ認証を煩雑にしすぎると、ユーザの利便性が損なわれるという問題があった。
【０００５】
本開示の目的は、上述した課題を鑑み、ユーザの利便性を保ちつつリモート接続における不正アクセスを抑制できるルータ、ルータの制御方法、及びルータの制御プログラムを提供することにある。
【課題を解決するための手段】
【０００６】
本開示に係るルータは、制御部と、第１のコンピュータと接続可能な第１インターフェイスと、外部のネットワークを介して第２のコンピュータと接続可能な第２インターフェイスと、第１の電話機と接続可能な第３インターフェイスと、を備え、前記制御部は、所定条件を満たした場合に、前記第１インターフェイスに接続された前記第１のコンピュータと前記第２インターフェイスに接続された前記第２のコンピュータとの間のリモート接続を所定時間だけ許可し、前記リモート接続を許可してから前記所定時間が経過するまでの間に前記第３インターフェイスに接続された前記第１の電話機が所定の電話番号から電話着信を受けたと判断した場合は、前記所定時間を延長する。
【０００７】
本開示に係るルータの制御方法は、所定条件を満たした場合に、第１インターフェイスに接続された第１のコンピュータと、外部のネットワークを介して第２インターフェイスに接続された第２のコンピュータと、の間のリモート接続を所定時間だけ許可するステップと、前記リモート接続を許可してから前記所定時間が経過するまでの間に第３インターフェイスに接続された電話機が所定の電話番号から電話着信を受けたと判断した場合に、前記所定時間を延長するステップと、を備える。
【０００８】
本開示に係るルータの制御プログラムは、所定条件を満たした場合に、第１インターフェイスに接続された第１のコンピュータと、外部のネットワークを介して第２インターフェイスに接続された第２のコンピュータと、の間のリモート接続を所定時間だけ許可するステップと、前記リモート接続を許可してから前記所定時間が経過するまでの間に第３インターフェイスに接続された電話機が所定の電話番号から電話着信を受けたと判断した場合に、前記所定時間を延長するステップと、をコンピュータに実行させる。
【発明の効果】
【０００９】
本開示により、ユーザの利便性を保ちつつリモート接続における不正アクセスを抑制できるルータ、ルータの制御方法、及びルータの制御プログラムを提供することができる。
【図面の簡単な説明】
【００１０】
【図１】第１の実施形態に係るルータのブロック図である。
【図２】第２の実施形態に係るルータのブロック図である。
【図３】第２の実施形態に係るルータの処理を示すフローチャートである。
【図４】第３の実施形態に係るルータのブロック図である。
【図５】第３の実施形態に係るルータの処理を示すフローチャートである。
【図６】第４の実施形態に係るルータのブロック図である。
【発明を実施するための形態】
【００１１】
以下では、具体的な実施形態について、図面を参照しながら詳細に説明する。各図面において、同一又は対応する要素には同一の符号が付されており、説明の明確化のため、必要に応じて重複説明は省略される。
【００１２】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００１３】
［第１の実施形態］
まず、本開示の第１の実施形態について、図１を用いて説明する。図１は、第１の実施形態に係るルータ１のブロック図である。図１に示す通り、ルータ１は、制御部１０と、第１インターフェイス１１と、第２インターフェイス１２と、第３インターフェイス１３と、を備える。
【００１４】
第１インターフェイス１１は、第１のコンピュータ１１１と接続可能である。第２インターフェイス１２は、外部のネットワーク１２０を介して第２のコンピュータ１２１と接続可能である。第３インターフェイス１３は第１の電話機１３１と接続可能である。
【００１５】
制御部１０は、所定条件を満たした場合に、第１インターフェイス１１に接続された第１のコンピュータ１１１と第２インターフェイス１２に接続された第２のコンピュータ１２１との間のリモート接続を所定時間だけ許可する。また、制御部１０は、当該リモート接続を許可してから所定時間が経過するまでの間に第３インターフェイス１３に接続された第１の電話機１３１が所定の電話番号から電話着信を受けたと判断した場合は、当該所定時間を延長する。
【００１６】
このような構成を有するルータ１は、所定条件を満たした場合に、第１のコンピュータ１１１と第２のコンピュータ１２１との間のリモート接続を所定時間だけ許可する。したがって、何者かが第１のコンピュータ１１１に対して不正にリモート接続を試みたとしても、所定条件が満たされない限りはリモート接続が許可されないため、不正アクセスを抑制することができる。また、仮に正規のユーザでない第三者によって所定条件が満たされた場合であっても、リモート接続は所定時間のみしか許可されないため、第三者による不正アクセスによる被害を小さく抑えることができる。
【００１７】
一方、ルータ１は、リモート接続を許可してから所定時間が経過するまでの間に第１の電話機１３１が所定の電話番号から電話着信を受けたと判断した場合は、当該所定時間を延長する。このため、リモート接続をしているユーザは、第１の電話機１３１に対して所定の電話番号から電話をかけるだけで、リモート接続の接続時間を延長することができる。したがって、ユーザは、容易な手続きでリモート接続を延長することができる。
【００１８】
以上のように、本実施形態に係るルータ１は、ユーザの利便性を保ちつつリモート接続における不正アクセスを抑制できる。
【００１９】
［第２の実施形態］
次に、本開示の第２の実施形態について、図２〜図３を用いて説明する。図２は、本実施形態に係るルータ２のブロック図である。
本実施形態において、ルータ２は、第１のコンピュータ２１１及び第１の電話機２３１とともに、室空間２００の内側に設置されている。また、ルータ２は、外部のネットワーク２２０を介して、室空間２００の外側にある第２のコンピュータ２２１と通信可能に接続されている。外部のネットワーク２２０は、例えばインターネットである。
【００２０】
第１のコンピュータ２１１及び第２のコンピュータ２２１には、それぞれの間でリモート接続が可能となるような設定がなされているものとする。また、第１の電話機２３１はＩＰ電話機能を有するものとする。
ルータ２は、後述する制御に基づいて、第２のコンピュータ２２１が第１のコンピュータ２１１にアクセスしてきた場合におけるリモート接続の可否を判断する。
【００２１】
図２に示すように、ルータ２は、制御部２０と、ＬＡＮ(Local Area Network)ポート２１＿１〜２１＿４と、ＷＡＮ(Wide Area Network)ポート２２と、ＴＥＬ(telephone)ポート２３と、有線通信部２４と、ＶｏＩＰ(Voice over Internet Protocol)アダプタ２５と、記憶部２６と、タイマー２７と、を備える。制御部２０は、有線通信部２４を介してＬＡＮポート２１＿１〜２１＿４と接続されている。また、制御部２０は、ＷＡＮポート２２と接続されている。また、制御部２０は、ＶｏＩＰアダプタ２５を介してＴＥＬポート２３と接続されている。さらに、制御部２０は、記憶部２６及びタイマー２７と接続されている。
なお、制御部２０、ＬＡＮポート２１＿１〜２１＿４、ＷＡＮポート２２、及びＴＥＬポート２３は、それぞれ第１の実施形態における制御部１０、第１インターフェイス１１、第２インターフェイス１２、及び第３インターフェイス１３に対応する。
【００２２】
制御部２０は、例えばＣＰＵ（Central Processing Unit）であり、ルータ２を構成する各要素を直接的または間接的に制御する。具体的には、制御部２０は、所定条件を満たした場合に、ＬＡＮポート２１＿１に接続された第１のコンピュータ２１１とＷＡＮポート２２に接続された第２のコンピュータ２２１との間のリモート接続を所定時間だけ許可する。また、制御部２０は、当該リモート接続を許可してから所定時間が経過するまでの間にＴＥＬポート２３に接続された第１の電話機２３１が所定の電話番号から電話着信を受けたと判断した場合は、当該所定時間を延長する。制御部２０による制御は、予め記憶された制御プログラム等によって実現されうる。
【００２３】
ＬＡＮポート２１＿１〜２１＿４は、ＬＡＮケーブルを介してコンピュータ等の通信機器と接続できるインターフェイスである。本実施形態においては、ＬＡＮポート２１＿１に第１のコンピュータ２１１が接続される。なお、当然のことながら、ＬＡＮポートの数は４つに限定されるものではない。
【００２４】
ＷＡＮポート２２は、ケーブルを介して外部のネットワークと通信可能に接続できるインターフェイスである。本実施形態においては、ＷＡＮポート２２に外部のネットワーク２２０が接続され、さらに外部のネットワーク２２０を介して第２のコンピュータ２２１が接続される。なお、当然のことながら、ＷＡＮポートの数は１つに限定されるものではなく、複数であってもよい。
【００２５】
ＴＥＬポート２３は、電話線等を介して電話と接続できるインターフェイスである。本実施形態においては、ＴＥＬポート２３に第１の電話機２３１が接続される。制御部２０は、当該ＴＥＬポート２３を介して第１の電話機２３１が受けた着信先の電話番号を取得することができる。なお、当然のことながら、ＴＥＬポートの数は１つに限定されるものではなく、複数であってもよい。
【００２６】
有線通信部２４は、制御部２０とＬＡＮポート２１＿１〜２１＿４との間のデータの通信を中継する。制御部２０は、ＬＡＮポート２１＿１〜２１＿４及び有線通信部２４を介して、ＬＡＮポート２１＿１〜２１＿４に接続されている通信機器とのデータの授受を行うことができる。
【００２７】
ＶｏＩＰアダプタ２５は、電話網とＩＰ網との間で通信を中継するアダプタである。具体的には、ＶｏＩＰアダプタ２５は、制御部２０から受け取ったＩＰパケットのデジタルデータを音声信号に変換してＴＥＬポート２３に中継する。また、ＶｏＩＰアダプタ２５は、ＴＥＬポート２３から受け取った音声信号をＩＰパケットのデジタルデータに変換して制御部２０に中継する。このようにして第１の電話機２３１はＩＰ電話としての機能を発揮することができる。
【００２８】
記憶部２６は、例えば不揮発性メモリ等を有する記憶装置であり、所定の電話番号を記憶する。所定の電話番号とは、ユーザが任意に設定できる電話番号である。例えば、ルータ２の正規のユーザが有する携帯電話２２２の電話番号を、所定の電話番号とすることができる。
【００２９】
タイマー２７は、時間を計測する機器である。タイマー２７は、制御部２０から定められた時間を計測する旨の指示を受け取った場合に、当該定められた時間の計測を開始する。また、タイマー２７は、当該定められた時間が経過した場合に、制御部２０にその旨を通知する。
【００３０】
次に、ルータ２の具体的な制御フローについて、図３を用いて説明する。図３は、ルータ２の制御フローを表すフローチャートである。図３に示すように、ルータ２の制御フローは、ステップＳ１０〜Ｓ６５の工程を含む。
【００３１】
図３に示すように、制御部２０は、まずステップＳ１０において、第２のコンピュータ２２１がリモート接続を求める際に発せられる信号（以下、リモート信号と呼ぶ場合がある）を検知したか否かを判断する。制御部２０がリモート信号を検知した場合（ステップＳ１０のＹＥＳ）はステップＳ２０に進む。制御部２０がリモート信号を検知しなかった場合（ステップＳ１０のＮＯ）はステップＳ１０の操作を繰り返す。
【００３２】
ステップＳ２０に進んだ場合、制御部２０は、所定条件を満たすか否かを判定する。ここでいう所定条件を満たす場合とは、第２のコンピュータ２２１が正規のユーザによって操作されていると判断できる場合のことを指す。
【００３３】
例えば、制御部２０は、ステップＳ２０において、第２のコンピュータ２２１に対してパスワードの入力や生体認証を求め、ユーザの照合が正しく行われるか否かを判定する。制御部２０は、当該照合が正しく行われた場合に、上記の所定条件が満たされたと判断する。上記所定条件を満たす場合（ステップＳ２０のＹＥＳ）は、ステップＳ３０に進む。一方、上記所定条件を満たさない場合（ステップＳ２０のＮＯ）は、ステップＳ６５に進み、制御部２０はリモート接続を拒否してフローを終了する。
すなわち、制御部２０は、第２のコンピュータ２２１が正規のユーザによって操作されていると判断した場合にはリモート接続を許可し、正規のユーザによって操作されていないと判断した場合にはリモート接続を拒否する。このようにして、不正アクセスを抑制することができる。
【００３４】
ステップＳ３０に進んだ場合、制御部２０は第１のコンピュータ２１１と第２のコンピュータ２２１との間のリモート接続を許可する。また、制御部２０は、タイマー２７に対して時間の計測を開始するよう指示する。タイマー２７は、制御部２０からの指示を受け取り、時間の計測を開始する。タイマー２７は、所定時間が経過した場合に、制御部２０にその旨を通知する。
【００３５】
次いで、制御部２０は、ステップＳ４０において、リモート接続を許可してから所定時間が経過したか否かを判定する。具体的には、制御部２０は、タイマー２７から所定時間経過した旨の通知を受けたか否かを判定する。リモート接続を許可してから所定時間が経過した場合（ステップＳ４０のＹＥＳ）は、ステップＳ５０に進む。リモート接続を許可してから所定時間が経過していない場合（ステップＳ４０のＮＯ）はステップＳ４０の操作を繰り返す。
なお、ここでいう所定時間とは、ユーザが任意に設定できる時間であって、例えば６０分とすることができる。
【００３６】
ステップＳ５０に進んだ場合、制御部２０は、リモート接続を許可してから所定時間が経過するまでの間に、ＴＥＬポート２３に接続された第１の電話機２３１が所定の電話番号から電話着信を受けたか否かを判定する。具体的には、制御部２０は、まずリモート接続を許可してから所定時間が経過するまでの間における第１の電話機２３１の着信先の電話番号を取得する。そして、制御部２０は、記憶部２６に記憶されている所定の電話番号からの電話着信があったか否かを判定する。第１の電話機２３１が所定の電話番号からの電話着信を受けていた場合（ステップＳ５０のＹＥＳ）は、ステップＳ６０に進む。第１の電話機２３１が所定の電話番号からの電話着信を受けていなかった場合（ステップＳ５０のＮＯ）は、ステップＳ６５に進み、リモート接続を切断してフローを終了する。
すなわち、制御部２０は、第１のコンピュータ２１１と第２のコンピュータ２２１との間のリモート接続を所定時間だけ許可する。したがって、仮に正規のユーザでない第三者によって所定条件が満たされた場合であっても、不正アクセスによる被害を小さく抑えることができる。
【００３７】
ステップＳ６０に進んだ場合、制御部２０は、所定時間を延長する。具体的には、制御部２０は、タイマー２７に対して計測する所定時間を延長する旨の指示を送る。その後タイマー２７は、時間計測を継続し、延長された所定時間が経過した後に再びその旨を制御部２０に通知する。なお、当該延長する時間は、ユーザが任意に設定できる時間であって、例えば３０分とすることができる。ステップＳ６０の後、制御部２０はステップＳ４０以降の操作を繰り返す。
すなわち、リモート接続をしているユーザは、自身の携帯電話２２２から第１の電話機２３１に電話をかけるだけで、リモート接続の接続時間を延長することができる。したがって、ユーザは、容易な手続きでリモート接続を延長することができる。
【００３８】
なお、ステップＳ６０を経由してステップＳ５０に進んだ場合は、制御部２０は、最後に所定時間を延長した時点からタイマー２７からの通知を受けるまでの間に、第１の電話機２３１が所定の電話番号から電話着信を受けたか否かを判定するものとする。第１の電話機２３１が所定の電話番号からの電話着信を受けていた場合（ステップＳ５０のＹＥＳ）は、ステップＳ６０に進む。第１の電話機２３１が所定の電話番号からの電話着信を受けていなかった場合（ステップＳ５０のＮＯ）は、ステップＳ６５に進み、リモート接続を切断してフローを終了する。
以上の構成を有するルータ２は、ユーザの利便性を保ちつつリモート接続における不正アクセスを抑制できる。
【００３９】
なお、上記の例において、ルータ２は、ステップＳ２０にて、パスワード等の照合によって所定条件が満たされたか否かの判断を行ったが、他の方法によって上記の所定条件が満たされたかの判定を行ってもよい。例えば、制御部２０は、リモート信号を検知する直前に第１の電話機２３１が所定の電話番号から電話着信を受けていたか否かを判定し、当該電話着信を受けていた場合には、上記の所定条件を満たしたと判断してもよい。この場合、制御部２０は、リモート信号を取得する直前の所定期間（例えば直前の５分間）における第１の電話機２３１の着信先の電話番号を取得し、記憶部２６に記憶されている所定の電話番号からの電話着信があったか否かを判断する。
この場合、ユーザは、煩雑なパスワードの入力等に代えて自身の携帯電話２２２から電話をかけるだけでリモート接続を行うことができる。したがって、ユーザは、より簡便な手続きでリモート接続を行うことができる。
【００４０】
なお、上記の例において、制御部２０は、ＴＥＬポート２３を介して第１の電話機２３１の着信履歴を取得することで、第１の電話機２３１の着信先の電話番号を取得してもよい。あるいは、制御部２０は、ＶｏＩＰアダプタ２５が取得した情報に基づいて当該着信先の電話番号を取得してもよい。
【００４１】
［第３の実施形態］
次に、本発明の第３の実施形態について説明する。図４は、第３の実施形態に係るルータ３のブロック図である。なお、第３の実施形態の説明において、第２の実施形態における要素と同一又は直接対応する要素については、新たに下１桁が同じ３０番台の符号又は下２桁が同じ３００番台の符号を付し、適宜説明を省略する。
【００４２】
図４に示すように、ルータ３は、制御部３０と、ＬＡＮポート３１＿１〜３１＿４と、ＷＡＮポート３２と、ＴＥＬポート３３＿１〜３３＿２と、有線通信部３４と、ＶｏＩＰアダプタ３５と、記憶部３６と、タイマー３７と、を備える。すなわち、ルータ３は、第２の実施形態に係るルータ２と比べて、ＴＥＬポートを複数備える点のみが異なる構成をとる。
【００４３】
ＴＥＬポート３３＿１は、第１の実施形態における第３インターフェイス１３に相当し、ＴＥＬポート３３＿２は、第３インターフェイス１３とは異なる他のインターフェイス（第４インターフェイス）に相当する。ＴＥＬポート３３＿１には、第１の電話機３３１が接続されており、ＴＥＬポート３３＿２には、第２の電話機３３２が接続されている。制御部３０は、ＴＥＬポート３３＿１、３３＿２を介して、第１及び第２の電話機３３１、３３２が受けた着信先の電話番号を取得することができる。
【００４４】
次に、ルータ３の具体的な制御フローについて、図５を用いて説明する。図５は、ルータ３の制御フローを表すフローチャートである。図５に示すように、ルータ３の制御フローは、ルータ２の制御フロー（図３参照）と比べて、ステップＳ３０の後にステップＳ３５に進むという点で異なる。
【００４５】
ステップＳ３５に進んだ場合、制御部３０は、リモート接続を許可してから所定時間が経過するまでの間に、ＴＥＬポート３３＿２に接続された第２の電話機３３２が所定の電話番号から電話着信を受けたか否かを判定する。第２の電話機３３２が所定の電話番号からの電話着信を受けていなかった場合（ステップＳ３５のＮＯ）は、ステップＳ４０に進む。第２の電話機３３２が所定の電話番号からの電話着信を受けていた場合（ステップＳ３５のＹＥＳ）は、ステップＳ６５に進み、リモート接続を切断してフローを終了する。
【００４６】
このような構成においては、正規のユーザは、自身の携帯電話３２２から第２の電話機３３２に電話をかけることで、第１のコンピュータ３１１と第２のコンピュータ３２１との間のリモート接続を切断することができる。すなわち、リモート接続の可否を電話の発信によって切り替えることができる。したがって、ユーザの利便性を向上させるとともに、リモート接続におけるセキュリティを更に向上させることができる。
【００４７】
［第４の実施形態］
次に、本発明の第４の実施形態について説明する。図６は、第４の実施形態に係るルータ４のブロック図である。なお、第４の実施形態の説明において、第２の実施形態における要素と同一又は直接対応する要素については、新たに下１桁が同じ４０番台の符号又は下２桁が同じ４００番台の符号を付し、適宜説明を省略する。
【００４８】
図６に示すように、ルータ４は、制御部４０と、ＬＡＮポート４１＿１〜４１＿４と、ＷＡＮポート４２と、ＴＥＬポート４３＿１〜４３＿２と、有線通信部４４と、ＶｏＩＰアダプタ４５と、記憶部４６と、タイマー４７と、スイッチ４８と、を備える。すなわち、ルータ４は、第２の実施形態に係るルータ２と比べて、スイッチ４８を備える点のみが異なる構成をとる。
【００４９】
スイッチ４８は、有線通信部４４と、第１のコンピュータ４１１が接続されているＬＡＮポート４１＿１との間に設けられており、有線通信部４４とＬＡＮポート４１＿１との間の接続のオン／オフを切り替える電子機器である。このような構成においては、スイッチ４８のオン／オフを切り替えることによって、第１のコンピュータ４１１と外部のネットワーク４２０との間の接続のオン／オフを切り替えることができる。
【００５０】
第４の実施形態においては、制御部４０は、スイッチ４８のオン／オフを切り替えることによって、リモート接続のオン／オフを切り替える。すなわち、制御部４０は、第１のコンピュータ４１１と外部のネットワーク４２０との間の接続のオン／オフを切り替えることによって、リモート接続のオン／オフを切り替える。このような構成においては、通常時に第１のコンピュータ４１１と外部のネットワーク４２０との接続がなされていない。したがって、第三者が外部のネットワーク４２０を介して第１のコンピュータ４１１へリモート接続することがより困難になり、リモート接続におけるセキュリティを更に向上させることができる。
【００５１】
なお、本開示は上記の実施形態に限られたものではなく、趣旨を逸脱しない範囲で適宜変更することが可能である。
【００５２】
例えば、ルータの制御部は、リモート接続を許可してから所定時間が経過する前の時点で、第１の電話機が所定の電話番号から電話着信をまだ受けていないと判断した場合は、第２のコンピュータに対してアラームを通知するようにしてもよい。このような構成にすることで、第２のコンピュータを利用しているユーザが不意にリモート接続を切断されることを抑制することができる。
【００５３】
また、上記実施の形態において、様々な処理を行う機能ブロックとして図面に記載される各要素は、ハードウェア的には、ＣＰＵ、メモリ、その他の回路で構成することができ、ソフトウェア的には、メモリにロードされたプログラム等によって実現される。したがって、これらの機能ブロックがハードウェアのみ、ソフトウェアのみ、又はそれらの組合せによっていろいろな形で実現できることは当業者には理解されるところであり、いずれかに限定されるものではない。
【００５４】
また、上記のプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５５】
１〜４                          ルータ
１０                            制御部
１１                            第１インターフェイス
１２                            第２インターフェイス
１３                            第３インターフェイス
２０、３０、４０                制御部
２１＿１〜２１＿４、３１＿１〜３１＿４、４１＿１〜４１＿４  ＬＡＮポート
２２、３２、４２                ＷＡＮポート
２３、３３＿１、３３＿２、４３  ＴＥＬポート
２４、３４、４４                有線通信部
２５、３５、４５                ＶｏＩＰアダプタ
２６、３６、４６                記憶部
２７、３７、４７                タイマー
４８                            スイッチ
１１１、２１１、３１１、４１１  第１のコンピュータ
１２０、２２０、３２０、４２０  ネットワーク
１２１、２２１、３２１、４２１  第２のコンピュータ
１３１、２３１、３３１、４３１  第１の電話機
２００、３００、４００          室空間
２２２、３２２、４２２          携帯電話
３３２                          第２の電話機
【図１】
2020123772.tif 000003
【図２】
2020123772.tif 000004
【図３】
2020123772.tif 000005
【図４】
2020123772.tif 000006
【図５】
2020123772.tif 000007
【図６】
2020123772.tif 000008